(57)【要約】【課題】軸を支持する軸受に大きな軸力が生じた場合でも確実に固定でき、加工精度を良くしなくても加締リングによる軸受の固定を確実にでき、加締リングを取付ける加締設備の大型化を伴わない軸受の固定構造及び固定方法を提供する。【解決手段】軸１に形成された円環状の溝１０に円筒状の加締リング３を加締めて軸受を固定する軸受の固定構造である。溝１０は軸方向の溝幅途中にその上端が軸径と略同じ高さに盛り上がる環状隆起部８によって区画される第一溝５と第二溝４とから形成されている。加締リング３はそのリング内側面が第一溝５に対面する第１内側面３ｂと第二溝４に対面する第２内側面３ｃとから構成されて、環状隆起部８に係合するように構成されている。【選択図】図１
2012237403.tif 000002
【特許請求の範囲】
【請求項１】
軸に形成された円環状の溝に円筒状の加締リングを加締めて軸受を固定する軸受の固定構造において、
前記溝は軸方向の溝幅途中に形成された環状隆起部によって区画される第一溝と第二溝とから形成されており、前記加締リングはそのリング内側面が前記第一溝に対面するリング第１内側面と前記第二溝に対面するリング第２内側面とから構成されて、前記環状隆起部に係合するように構成されたことを特徴とする軸受の固定構造。
【請求項２】
前記環状隆起部はその上端が軸径と略同じ高さに盛り上がるように構成されたことを特徴とする請求項１に記載の軸受の固定構造。
【請求項３】
前記環状隆起部に対して前記軸受側に位置する前記第一溝よりも反軸受側に位置する前記第二溝の深さが浅く構成されていることを特徴とする請求項１または２に記載の軸受の固定構造。
【請求項４】
前記加締リングは前記リング内側面が前記環状隆起部により保持されて、前記環状隆起部に対して前記軸受側に位置する前記第一溝の溝底に接触しないように構成されたことを特徴とする請求項１から３の何れかに記載の軸受の固定構造。
【請求項５】
軸に形成された円環状の溝に円筒状の加締リングを加締めて軸受を固定する軸受の固定方法において、
前記溝を、軸方向の溝幅途中に形成した環状隆起部にて第一溝と第二溝に区画しておき、前記加締リングを加締るときに、前記加締リングの一端面を前記軸受に接触させ且つリング内側面を前記環状隆起部に対面させる状態で加締圧力を加え、前記環状隆起部を前記リング内側面に食い込ませるようにすることを特徴とする軸受の固定方法。
【発明の詳細な説明】
【技術分野】
【０００１】
本発明は、軸受の固定技術に関し、特に、電動式パワーステアリング装置のピニオン軸を軸支する軸受をピニオン軸に固定するための軸受の固定構造および固定方法に関する。
【背景技術】
【０００２】
燃費向上を目的として、自動車用のステアリング装置に電動パワーステアリング装置を採用するケースが増えてきており、より大型の自動車へ搭載したいという要求がある。このため、電動パワーステアリングを構成する各部品には、従来よりも高い強度が必要されるようになった。
【０００３】
一般的によく用いられているラック・ピニオン式ステアリング装置において、ピニオン軸を支持する軸受のうち、ステアリングホイール側の軸受の固定方法には、ピニオン軸に形成された円環状の溝に円筒状の加締リングを加締める方法が採用されている。
【０００４】
先行技術の軸受の固定構造としては、例えば特許文献１および特許文献２に示されているものがある。特許文献１には、加締リングにより玉軸受の内輪をピニオン軸に固定する場合に生じやすい、加締リングとピニオン軸との間の隙間が発生しないようにした軸受の固定構造が開示されている。
【０００５】
特許文献２には、軸および軸にその軸方向位置を固定する部品の製造誤差があっても、軸に対して部品を確実に固定することができる軸受の固定構造が開示されている。
【先行技術文献】
【特許文献】
【０００６】
【特許文献１】特開２００７−９９４０号公報
【特許文献２】特開２００８−５７５８９号公報
【発明の概要】
【発明が解決しようとする課題】
【０００７】
特許文献１および特許文献２の軸受の固定構造は、円環状の溝に円筒状の加締リングを加締めたものであり、軸受、軸、加締リングの形状を工夫することにより、軸と加締リングの間に隙間が生じることを防ぎ、軸受を確実に固定するものである。
【０００８】
このような軸受の固定構造は下記のような問題を抱えている。
特許文献１に示された構造では、軸受の内輪に横断面形状が切り欠き状の溝を設けて加締リングを嵌め込むように構成しているために、軸受構造が複雑になることに加えて、軸受が専用設計となり汎用性がなく生産コストを高める大きな要因となっている。また、加締リングを軸の溝と軸受との間に隙間無く確実に加締るためには、加締治具による荷重は大きい必要があり、この結果、加締設備が大型化するため製造コストを高くする大きな要因であった。
【０００９】
特許文献２に示された構造では、溝の幅（軸線方向の長さ）が大きく形成されてこの幅に対応する加締リングの幅も大きくなるために、加締加工を行うときに必要な荷重が大きくなる。この結果、加締加工において大荷重を可能にする設備が必要となり、設備が大型化するなどの問題があった。
【００１０】
また、前掲の両特許文献１，２等においは、加締リングの両端が溝側壁と軸受の端面との間に所定の長さで入り込んで加締加工が確実にできるように、加締リングの軸方向の長さ及び環状溝の軸方向の長さは精度良い加工が必要であった。
【００１１】
また、図７に示す従来の軸受２００の固定構造においては、加締リング３００が溝５００の隅の丸み部６００と接触している。このような構造において、軸受２００に軸力Ｆ０が生じた場合に、加締リング３００が軸１００から受ける反力Ｆ１の方向は、接触面の法線方向であることから、溝５００の隅の丸み部６００と接触している部分には、軸径方向の分力Ｆ２が生じる。そして、この分力Ｆ２により加締リング３００の径が拡げられた場合には、加締リング３００は、溝５００の隅の丸み部６００をすべるように軸方向に移動するため、軸受２００を軸方向に保持する能力が低い。
【００１２】
本発明は、上記事情に鑑みてなされたものであり、その目的は、電動パワーステアリング装置のモータの出力や路面からの外力によりピニオン軸を支持する軸受に大きな軸力が生じた場合でも確実に固定でき、更に、加工精度を良くしなくても加締リングによる軸受の固定を確実にでき、合わせて加締リングを取付ける加締設備の大型化を伴うことなくこれらの目的を達成できる軸受の固定構造および固定方法を提供することにある。
【課題を解決するための手段】
【００１３】
本発明の上記目的は、下記の構成により達成される。
（１）軸に形成された円環状の溝に円筒状の加締リングを加締めて軸受を固定する軸受の固定構造において、
前記溝は軸方向の溝幅途中に形成された環状隆起部によって区画される第一溝と第二溝とから形成されており、前記加締リングはそのリング内側面が前記第一溝に対面するリング第１内側面と前記第二溝に対面するリング第２内側面とから構成されて、前記環状隆起部に係合するように構成されたことを特徴とする軸受の固定構造。
（２）前記環状隆起部はその上端が軸径と略同じ高さに盛り上がるように構成されたことを特徴とする（１）に記載の軸受の固定構造。
（３）前記環状隆起部に対して前記軸受側に位置する前記第一溝よりも反軸受側に位置する前記第二溝の深さが浅く構成されていることを特徴とする（１）または（２）に記載の軸受の固定構造。
（４）前記加締リングは前記リング内側面が前記環状隆起部により保持されて、前記環状隆起部に対して前記軸受側に位置する前記第一溝の溝底に接触しないように構成されたことを特徴とする（１）から（３）の何れかに記載の軸受の固定構造。
（５）軸に形成された円環状の溝に円筒状の加締リングを加締めて軸受を固定する軸受の固定方法において、
前記溝を、軸方向の溝幅途中に形成した環状隆起部にて第一溝と第二溝に区画しておき、前記加締リングを加締るときに、前記加締リングの一端面を前記軸受に接触させ且つリング内側面を前記環状隆起部に対面させる状態で加締圧力を加え、前記環状隆起部を前記リング内側面に食い込ませるようにすることを特徴とする軸受の固定方法。
【発明の効果】
【００１４】
本発明の軸受の固定構造によれば、加締リングが加締装着されたときに、加締リングのリング内側面と環状隆起部とが対応して加締められて溝に係合された構造であり、加締加工自体の加締動作によって加締リングが食い込むように取付けられているので、加締リング取付け部位の加工精度に関係なく軸受を精度良く固定することができる。
また、本発明の軸受の固定構造によれば、第二溝によって加締リングの反軸受側端の塑性変形の部位が変形し易い空間を確保することができるので、塑性変形時の圧力が効果的に逃がされる構造である。この結果、加締時の荷重は小さく抑えられ、加工設備の小型化が可能になる。
【００１５】
本発明の軸受の固定方法によれば、加締リングを加締めて装着するときに、加締リングのリング内側面と環状隆起部とが対面した状態で加締められることで、環状隆起部によってリング内側面が塑性変形して軸受と環状隆起部の一方の側壁との間に押し込まれ、この押し込まれた部分を、軸受と環状隆起部の一方の側壁との実際の寸法に一致した加工が行われるので、加締リングの長さ寸法、溝寸法精度等に依存することなく軸受を確実に係止することができる。
また、本発明の軸受の固定方法によれば、加締時に、第二溝によって加締リングの反軸受側端の塑性変形の部位が変形し易い空間を確保されながら変形するので、塑性変形時の変形抵抗を小さくでき、加締時の荷重を小さく抑えることができる。
【図面の簡単な説明】
【００１６】
【図１】本発明の軸受の固定構造を示す第１実施形態の要部拡大断面図である。
【図２】図１に示す溝の一部をさらに拡大した拡大断面図である。
【図３】本発明の第１実施形態において加締リングが軸に装着された加締前の状態を示す要部断面にて示す説明図である。
【図４】図３の要部拡大断面図である。
【図５】本発明の第１実施形態における加締リングの加締め途中の断面図である。
【図６】本発明の軸受の固定構造を示す第２実施形態の要部拡大断面図である。
【図７】従来例の軸受の固定構造を示す断面図である。
【発明を実施するための形態】
【００１７】
以下、図面に基づいて本発明にかかる軸受の固定構造の実施形態について説明する。
【００１８】
（第１実施形態）
図１は本発明の第１実施形態における加締め後の軸受の固定構造を示し、図２は図１の一部拡大図であり、図３および図４は加締め前の状態を示し、図５は加締途中を示している。なお、図３においては、軸受および加締リングを断面として示してある。
【００１９】
本実施形態においては、玉軸受（以後、単に「軸受」という）をピニオン軸（以後、単に「軸」という）への組み付け状態を示す。すなわち、図１に示すように、軸１（図３参照）に形成された円環状の溝１０に円筒状の加締リング３を加締めて軸受２を、軸方向に移動できないように固定する軸受の固定構造である。
そして、本実施形態における１つの特徴としては、溝１０は軸方向の溝幅途中にその上端８ａが軸径と略同じ高さに盛り上がる環状隆起部８が設けられており、この環状隆起部８によって軸受側の第一溝５と反軸受側の第二溝４とに区画された構造となっている。
【００２０】
また、環状隆起部８から軸受２側にかけて形成された第一溝５は、軸受２とは反対側で環状隆起部８の基部に円環状の溝丸み部６が形成されており、この溝丸み部６の溝底６ａに向って溝深さが深くなるように構成されている。また、環状隆起部８は、溝丸み部６から軸外径方向（上端８ａの方向）に急傾斜で立ち上がった側面７が設けられている。
この側面７の上端８ａ寄りの部分は、図２に示すように、側面７が軸受２側に若干膨らむように構成されたクラウニング部７ａが設けられている。このクラウニング部７ａが設けられたことにより、軸受２の軸力が加締リング３に負荷された場合、加締リング３のリング第１内側面３ｂのうち側面７と接触する部分においてエッジロードの発生を低減し、軸受２を軸方向に保持する能力を高めることができる。
なお、環状隆起部８の上端８ａの形状は、リング溝９における応力集中を避けるため、丸みを持ったものとすることが好ましい。
【００２１】
一方、加締リング３は、図１に示すように、そのリング内側面が第一溝５に対面するリング第１内側面３ｂと第二溝４に対面するリング第２内側面３ｃとから構成されている。
したがって、加締リング３は、環状隆起部８に対してリング第１内側面３ｂの一端が側面７に当接していると共にリング第２内側面３ｃが環状隆起部８の上端８ａから反軸受側（図１において左側）に向って第二溝４の長さの例えば２/３程度の部分まで伸びるように構成されている。なお、リング外表面３ａの形状は、特に限定するものではないが、例えば、図１に示すように、反軸受側端３ｆに向ってリング径内方に絞り込むような構造にすることができる。また、加締リング３を第一溝５に押し込むときに、側面７と加締リング３の間にすき間が発生し難くするためには、側面７とリング外表面３ａは略直角であることが好ましい。
【００２２】
このように本実施形態においては、加締リング３が加締装着されたときに、加締リング３のリング内側面（リング第１内側面３ｂおよびリング第２内側面３ｃ）と環状隆起部８とが対応して加締められて溝１０に係合された構造である。これは後述する加締方法にて詳細に説明するが、加締加工自体の加締動作によって他端面３５と側面７との間の寸法に合わせて加締リング３が食い込むように取付けられる。しがたって、例えば加締リング３は、軸受側端３ｅが他端面３５に接する状態で反軸受側端３ｆが第二溝４の側に位置すればよく、その寸法精度が比較的ラフな加工精度で良い。
【００２３】
また、本実施形態においては、加締リング３の反軸受側端３ｆは溝１０の側面（反軸受側の側面４ａ）と当接しない。これは、加締リング３の反軸受側端３ｆの塑性変形を阻害する壁面からの反力を受けずに塑性変形ができるので、塑性変形時の圧力が効果的に逃がされた構造である。この結果、加締時の荷重は小さく抑えられ、加工設備の小型化が可能になる。
【００２４】
本実施形態では、環状隆起部８に対して軸受２側に位置する第一溝５よりも反軸受側に位置する第二溝４の深さが浅く構成されている。
このように、第二溝が浅く形成されたことにより、軸の削り量を必要最低限にできる。更に、環状隆起部８の反軸受方向の力（軸受２を軸方向に移動させようとする力）に対して剛性を強くできる。また、加締加工の時においては、加締リング３のリング内側面が第一溝５よりも第二溝４に先に接触するので、図１に示すように、加締リング３は第一溝５の溝底６ａに接触しない状態に容易にできる。
【００２５】
前掲のように、加締リング３が第一溝５の底面に対して浮いて接しないように構成されているので、軸受２に大きな軸方向の力が生じた場合において、加締リング３にかかる荷重の径方向分力（図７におけるＦ２）を低く抑えることができる。この結果、加締リング３の変形を効果的に抑え、軸受２を保持する力が従来よりも向上する。
【００２６】
図３〜図５を用いて、加締リング３の加締方法について説明する。
先ず、溝１０には、軸２の軸方向の溝幅途中にその上端８ａが軸径と略同じ高さに盛り上がる環状隆起部８を設けて置く。
そして、加締め加工においては、図３に示すように、軸１に、軸受２、加締リング３の順序に外嵌する。このとき、軸受２の一端面３４は、第１の段差面２５に当接して停止する。また、加締リング３の軸受側端３ｅは、軸受２の他端面３５に当接する。
【００２７】
このとき、溝１０に対する加締リング３の位置は、図４に示すように、加締リング３のリング内側面３ｄ（加締前のリング内側面）が環状隆起部８に対面した状態で且つ加締リング３の反軸受側端３ｆが第二溝４内に位置するようにする。
【００２８】
この状態において、加締治具（図示せず）により、加締リング３の加締リング外表面３ａおよび反軸受側端３ｆを押圧するように、例えば、略円すい形の穴を持つ加締治具を用いた軸方向の加締めや、径方向の加締めやローリングによる加締め等で、加締リング３を軸径方向に加締める。
加締リング３は、この加締力が作用することによって実際には塑性変形が一瞬で行われるが、例えば加締めの初期段階では、図５に示すように、リング内側面３ｄは環状隆起部８が食い込むように変形し始める。そして、この環状隆起部８の上端部分の形状に一致するリング溝９が加締リング３に形成されていく。
【００２９】
このように、本実施形態では、加締リング３を加締めて装着するときに、加締リング３のリング内側面３ｄと環状隆起部８とが対面した状態で加締められることで、環状隆起部８によってリング内側面が塑性変形して軸受２と第一溝５との間に押し込まれ、軸受２と第一溝５との実際の寸法に一致した加工が行われることとなる。すなわち、加締リング３の軸受２を係止する機能を有する部分の寸法は、加締加工によって決定されるので、加締リング３の長さ寸法、溝１０の寸法精度等に依存することなく軸受２を確実に係止することができる。
【００３０】
また、加締られるリング内側面３ｄが第一溝５及び第二溝４に分れるように変形するときに、加締リング３の反軸受側端３ｆは、溝１０の側面４ａと当接しない。すなわち、加締加工のときに加締リング３の反軸受側端３ｆの塑性変形は、軸方向（反軸受方向）への変形がし易いので、従来のような溝側面による塑性変形を阻害する変形時の大きな抵抗を受けることなく、加締時の荷重を小さく抑えることができる。
また、第二溝４がない従来の構造、すなわち、図７に示すような従来のように加締リング３００全体を溝５００の中に押し込む時の加締力に比べて、主な塑性変形部位を環状隆起部８の近傍に集中させると共に環状隆起部８の比較的尖った形状によっても加締時の荷重を小さく抑えることができる。
また、リング外表面３ａの形状は、側面７と略直角である場合に、加締リング３を軸径方向に効率よく加締めることができる。リング外表面３ａは略円すい形とするか、多少湾曲していてもよい。
また、環状隆起部８の上端８ａの形状は、リング溝９における応力集中を避けるため、丸みを持たせることが好ましい。
【００３１】
（第２実施形態）
図６は、本発明の第２実施形態における要部断面図を示している。
図６は本発明の第２実施形態における加締め後の軸受の固定構造を示した断面図である。
なお、図６においては、前掲の第１実施形態と同じ構成要素については同じ符号を付して説明を省略する。
本実施形態における加締構造は、第１実施形態と基本的には同じ構造であるが、第１実施形態に比べて、環状隆起部８が軸受２側に移動して第二溝４の幅が大きく形成されている。また、第二溝４の深さも第１実施形態の場合よりも若干深く構成されている。また、リング外表面３ａの形状においても、反軸受側端３ｆに向ってリング径内方に絞り込まれていない構造である。したがって、第二溝４に入り込んだ加締リング３の部分の体積が大きくなった構造である。なお、加締リング３の軸受側端３ｅにはテーパ面３０ｅが、反軸受側端３ｆにはテーパ面３０ｆが設けられている。
【００３２】
このように環状隆起部８が軸受２側に移動していることで、加締リング３において、環状隆起部８よりも反軸受側端３ｆの側の部分の体積を大きくすることができ、反軸受側端３ｆの側の部分の強度を向上させることができる。
【００３３】
以上、本発明について、第１及び第２実施形態について説明したが、本発明は、前述した各実施形態に限定されるものでなく、適宜、変形、改良等が可能である。すなわち、環状隆起部の形状や加締リングの形状などは適宜変更することができる。
また、上記実施形態では、軸受内輪を軸に固定する場合について説明したが、軸受外輪をハウジングに固定する場合にも、同様の固定構造を用いることができる。
【符号の説明】
【００３４】
１  軸
２  軸受
３  加締リング
３ａ  リング外表面
３ｂ  リング第１内側面
３ｃ  リング第２内側面
４  第二溝
５  第一溝
６  溝丸み部
６ａ  溝底
７  側面
７ａ  クラウニング部
８  環状隆起部
８ａ  上端
９  リング溝
１０  溝
【図１】
2012237403.tif 000003
【図２】
2012237403.tif 000004
【図３】
2012237403.tif 000005
【図４】
2012237403.tif 000006
【図５】
2012237403.tif 000007
【図６】
2012237403.tif 000008
【図７】
2012237403.tif 000009